(57)【要約】      （修正有）【課題】連動装置とスライド装置とにより、ユーザの腰部、背部及び尻に対して、按摩及び捻りなどが可能な健康器具を提供する。【解決手段】本体と、駆動装置と、左右に対称するように設けられている一セットの連動装置と、スライド装置と、を備え、本体は、上蓋と、底蓋と、を有し、上蓋１１の上端に支持部１１１が設けられ、支持部の内部に収容空間が形成され、上蓋の下端に取付部１１３が設けられ、底蓋は上蓋を閉鎖可能であり、駆動装置は、本体の収容空間に設けられ、連動装置に動力を出力し、連動装置は、底蓋のスライド溝に取り付けられ、偏心ディスクと、リンクアームと、を有し、リンクアームは連動ロッドを有し、スライド装置は、スライドディスク４１と、シートトレイ４２と、滑り止めパッド４３と、を備え、スライドディスクには、上蓋のレールに対応する摺動溝が設けられている。【選択図】図１
0003213959.tif 000002
【実用新案登録請求の範囲】
【請求項１】
本体と、駆動装置と、左右に対称するように設けられている一セットの連動装置と、スライド装置と、を備え、
前記本体は、上蓋と、底蓋と、を有し、前記上蓋の上端に支持部が設けられており、前記支持部は中空を呈する構造であり、前記支持部の内部に収容空間が形成され、前記収容空間は前記駆動装置と前記連動装置とを収容し、前記上蓋の下端に取付部が設けられており、前記取付部にレールが若干設けられており、前記底蓋は前記上蓋を閉鎖可能であり、前記底蓋に、左右に対称するように設けられている一セットのスライド溝が設けられており、
前記駆動装置は、前記本体の前記収容空間に設けられており、前記連動装置に動力を出力し、
前記連動装置は、前記底蓋の前記スライド溝に取り付けられており、前記連動装置は、偏心ディスクと、伝動するためのリンクアームと、を有し、前記リンクアームは連動ロッドを有し、前記連動装置は、前記駆動装置に駆動されて、前記底蓋内の前記スライド溝を移動し、
前記スライド装置は、前記上蓋の下端にある前記取付部に取り付けられており、前記スライド装置は、スライドディスクと、シートトレイと、滑り止めパッドと、を備え、前記スライドディスクには、前記上蓋の前記レールに対応する摺動溝が設けられており、前記摺動溝は、前記シートトレイと前記滑り止めパッドとを受け、前記シートトレイに結合穴が若干設けられており、前記結合穴に前記連動装置の前記連動ロッドを組み付けられており、前記スライド装置は、前記駆動装置と前記連動装置とに駆動されて変位可能であり、前記滑り止めパッドは、前記シートトレイを封止し、人体を駆動して変位させ、
前記駆動装置を起動すると、前記連動装置の両側にある偏心ディスクにより、前記スライド装置が駆動されて上下に移動することを特徴とする健康器具。
【請求項２】
前記駆動装置は、モータと、左右に対称するように設けられている一セットのギアユニットとから構成され、前記モータには、左右に対称する出力軸が設けられており、前記ギアユニットは、第１ギアと、第２ギアと、を有し、前記第１ギアは、前記出力軸と連接し、出力方向を転換し、前記第２ギアは前記第１ギアと連接し、前記第２ギアにシャフトが設けられていることを特徴とする、請求項１に記載の健康器具。
【請求項３】
前記連動装置は、偏心ディスクと、伝動するためのリンクアームとから構成され、前記偏心ディスクの中央に軸穴が設けられており、前記軸穴は前記第２ギアの前記シャフトと連接し、前記偏心ディスクの下端に伝動ロッドが設けられており、前記リンクアームは、ほぼストリップ状を呈し、その上端に上連結穴が設けられており、その下端に下連結穴が設けられており、前記上連結穴は偏心ディスクの伝動ロッドと連接し、前記下連結穴に連動ロッドが組み付けられていることを特徴とする、請求項１に記載の健康器具。
【請求項４】
前記スライドディスクと前記シートトレイとの間に玉が若干設けられており、前記シートトレイに玉収容凹みが若干設けられており、前記玉収容凹みに前記玉が取り付けられていることを特徴とする、請求項１に記載の健康器具。
【請求項５】
前記連動装置内の一側にアイドル偏心ディスクが設けられており、前記ギアユニットに止めブロックが設けられており、前記ギアユニットを逆方向に回転するときに、前記止めブロックは一側にあるギアユニットを止めて、前記アイドル偏心ディスクの一側にある連動装置が一回のアイドリングを発生して、前記連動装置が異なる動作をして、前記スライド装置は左右に揺動することを特徴とする、請求項１に記載の健康器具。
【請求項６】
前記アイドル偏心ディスクはピンを有し、前記ピンの位置は伝動ロッドの位置に対応するため、前記ピンを離れると、偏心ディスクはアイドリングを発生することを特徴とする、請求項５に記載の健康器具。
【請求項７】
前記滑り止めパッドに滑り止め皺が若干設けられていることを特徴とする、請求項１に記載の健康器具。
【請求項８】
前記滑り止めパッドに滑り止め粒が設けられていることを特徴とする、請求項１に記載の健康器具。
【請求項９】
前記駆動装置はモータボックスを有し、前記モータボックスにより、前記モータと前記ギアユニットとが遮蔽されることを特徴とする、請求項１に記載の健康器具。
【考案の詳細な説明】
【技術分野】
【０００１】
本考案は、健康器具に関し、特に、連動装置とスライド装置とにより、上下変位及び左右揺動を発生可能な健康器具に関するものである。
【背景技術】
【０００２】
従来のウエストひねり器具は、例えば特許文献１の中華民国実用新案Ｍ４６９０９０号がある。このようなウエストひねり器具は、台座と、二つの偏心回転ディスクと、自在上台と、を備える。台座の内部にモータが設けられている。モータのシャフトにワームが固定されている。台座の内部に二つのギアユニットが設けられている。二つのギアユニットはワームと噛合って伝動可能である。二つの偏心回転ディスクは、台座の内部から台座の上面に延びる。二つの偏心回転ディスクは二つのギアユニットに固定されている。自在上台の下面に連結部が二つ設けられている。二つの連結部は、二つの偏心回転ディスクの偏心軸に枢着されている。これにより、モータが起動されて二つのギアユニットを回転すると、二つのギアユニットが二つの偏心回転ディスクを回転する。その動作は、二つの偏心軸による偏心運動により、自在上台が駆動されて８字形を呈する軌跡に沿って捻られる。
【０００３】
このような健康器具は、室内で利用可能であり、トレッドミル及びフィットネスバイクのように、スペースをかなり必要とし、運搬が不便であるという問題がないため、国民に愛用されている。
【０００４】
しかしながら、このような健康器具によれば、一方向だけへの変位及び揺動が可能であるため、ユーザが長期に利用すると、退屈と感じやすい。
【０００５】
そして、このような健康器具によれば、座り姿勢だけで利用可能なため、人体の運動可能の部位は尻だけであり、運動量が不足である虞がある。
【０００６】
このような健康器具によれば、座り姿勢だけで利用可能なため、尻や腰部が痛い場合には、このような健康器具に座って運動できない。
【先行技術文献】
【特許文献】
【０００７】
【特許文献１】中華民国実用新案Ｍ４６９０９０号公報
【考案の概要】
【考案が解決しようとする課題】
【０００８】
本考案の目的は、連動装置とスライド装置とにより、ユーザの腰部、背部及び尻に対して、按摩及び捻りなどが可能な健康器具を提供することにある。
【課題を解決するための手段】
【０００９】
本考案の健康器具によると、本体と、駆動装置と、左右に対称するように設けられている一セットの連動装置と、スライド装置と、を備え、
本体は、上蓋と、底蓋と、を有し、上蓋の上端に支持部が設けられており、支持部は中空を呈する構造であり、支持部の内部に収容空間が形成され、収容空間は駆動装置と連動装置とを収容し、上蓋の下端に取付部が設けられており、取付部にレールが若干設けられており、底蓋は上蓋を閉鎖可能であり、底蓋に、左右に対称するように設けられている一セットのスライド溝が設けられており、
駆動装置は、本体の収容空間に設けられており、連動装置に動力を出力し、
連動装置は、底蓋のスライド溝に取り付けられており、連動装置は、偏心ディスクと、伝動するためのリンクアームと、を有し、リンクアームは連動ロッドを有し、連動装置は、駆動装置に駆動されて、底蓋内のスライド溝を移動し、
スライド装置は、上蓋の下端にある取付部に取り付けられており、スライド装置は、スライドディスクと、シートトレイと、滑り止めパッドと、を備え、スライドディスクには、上蓋のレールに対応する摺動溝が設けられており、摺動溝は、シートトレイと滑り止めパッドとを受け、シートトレイに結合穴が若干設けられており、結合穴に連動装置の連動ロッドを組み付けられており、スライド装置は、駆動装置と連動装置とに駆動されて変位可能であり、滑り止めパッドは、シートトレイを封止し、人体を駆動して変位させ、
駆動装置を起動すると、連動装置の両側にある偏心ディスクにより、スライド装置が駆動されて上下に移動することを特徴とする。
【００１０】
本考案の健康器具によると、駆動装置は、モータと、左右に対称するように設けられている一セットのギアユニットとから構成され、モータには、左右に対称する出力軸が設けられており、ギアユニットは、第１ギアと、第２ギアと、を有し、第１ギアは、出力軸と連接し、出力方向を転換し、第２ギアは第１ギアと連接し、第２ギアにシャフトが設けられていることを特徴とする。
【００１１】
本考案の健康器具によると、連動装置は、偏心ディスクと、伝動するためのリンクアームとから構成され、偏心ディスクの中央に軸穴が設けられており、軸穴は第２ギアのシャフトと連接し、偏心ディスクの下端に伝動ロッドが設けられており、リンクアームは、ほぼストリップ状を呈し、その上端に上連結穴が設けられており、その下端に下連結穴が設けられており、上連結穴は偏心ディスクの伝動ロッドと連接し、下連結穴に連動ロッドが組み付けられていることを特徴とする。
【００１２】
本考案の健康器具によると、スライドディスクとシートトレイとの間に玉が若干設けられており、シートトレイに玉収容凹みが若干設けられており、玉収容凹みに玉が取り付けられていることを特徴とする。
【００１３】
本考案の健康器具によると、連動装置内の一側にアイドル偏心ディスクが設けられており、ギアユニットに止めブロックが設けられており、ギアユニットを逆方向に回転するときに、止めブロックは一側にあるギアユニットを止めて、アイドル偏心ディスクの一側にある連動装置が一回のアイドリングを発生して、連動装置が異なる動作をして、スライド装置は左右に揺動することを特徴とする。
【００１４】
本考案の健康器具によると、アイドル偏心ディスクはピンを有し、ピンの位置は伝動ロッドの位置に対応するため、ピンを離れると、偏心ディスクはアイドリングを発生することを特徴とする。
【００１５】
本考案の健康器具によると、滑り止めパッドに滑り止め皺が若干設けられていることを特徴とする。
【００１６】
本考案の健康器具によると、滑り止めパッドに滑り止め粒が設けられていることを特徴とする。
【００１７】
本考案の健康器具によると、駆動装置はモータボックスを有し、モータボックスにより、モータとギアユニットとが遮蔽されることを特徴とする。
【考案の効果】
【００１８】
本考案の健康器具によれば、連動装置とスライド装置とにより、ユーザの腰部、背部及び尻に対して、按摩及び捻りなどが可能であるという効果を有する。
【図面の簡単な説明】
【００１９】
【図１】本考案に係る健康器具の構造を示す斜視図である。
【図２】本考案に係る健康器具の構造を示す分解斜視図である。
【図３】本考案に係る健康器具の構造を別の視点から見た分解斜視図である。
【図４】本考案に係る駆動装置及び連動装置のレイアウトを示す図である。
【図５】本考案に係るスライド装置の構造を示す分解斜視図である。
【図６】本考案に係るスライド装置が連動装置に組み付けられている状態を示す図である。
【図７】本考案に係るスライド装置が上方へ移動する状態を示す図である。
【図８】本考案に係るスライド装置が上方へ移動する状態を示す図である。
【図９】本考案に係るスライド装置が下方へ移動する状態を示す図である。
【図１０】本考案に係るスライド装置が下方へ移動する状態を示す図である。
【図１１】本考案に係るスライド装置が左側へ揺動する状態を示す図である。
【図１２】本考案に係るスライド装置が左側へ揺動する状態を示す図である。
【図１３】本考案に係るスライド装置が右側へ揺動する状態を示す図である。
【図１４】本考案に係るスライド装置が右側へ揺動する状態を示す図である。
【考案を実施するための形態】
【００２０】
以下、本考案の実施の形態を図面に基づいて説明する。
【００２１】
図１から図１４を参照する。本考案に係る健康器具は、本体と、駆動装置と、左右に対称するように設けられている一セットの連動装置と、スライド装置と、を備える。
【００２２】
図１から図３を参照する。本体は、上蓋１１と、底蓋１２と、を有する。上蓋１１の上端に支持部１１１が設けられている。支持部１１１は、中空の構造であり、その内部に収容空間１１２が形成される。収容空間１１２は駆動装置と連動装置とを収容する。上蓋１１の下端に取付部１１３が設けられている。取付部１１３にレール１１４が若干設けられている。底蓋１２は上蓋１１を閉鎖可能である。底蓋１２には、左右に対称するように設けられている一セットのスライド溝１２１が設けられている。
【００２３】
図２及び図３を参照する。駆動装置は、本体の収容空間１１２に配されており、連動装置に動力を出力する。駆動装置は、モータ２１と、左右に対称するように設けられている一セットのギアユニット２２とから構成され、モータボックス２３がこれらをカバーする。これにより、ホコリやゴミはモータ２１とギアユニット２２とに侵入できない。モータ２１には、左右に対称するように設けられている出力軸２１１が組み付けられている。ギアユニット２２は、第１ギア２２１と、第２ギア２２２と、を有する。第１ギア２２１は、出力軸２１１と連接し、出力方向を転換する。第２ギア２２２は第１ギア２２１と連接する。第２ギア２２２にシャフト２２３が設けられている。
【００２４】
図２から図４及び図６から図１４を参照する。連動装置は、底蓋１２のスライド溝１２１に取り付けられている。連動装置は、偏心ディスク３１と、伝動を提供するリンクアーム３２とから構成される。偏心ディスク３１の中央に軸穴が設けられている。軸穴は第２ギア２２２のシャフト２２３と連接する。偏心ディスク３１の下端に伝動ロッド３１１が設けられている。リンクアーム３２は、ストリップ状を呈し、その上端に上連結穴３２１が設けられており、その下端に下連結穴３２２が設けられている。上連結穴３２１は、偏心ディスク３１の伝動ロッド３１１と連接する。下連結穴３２２に連動ロッド３２３が組み付けられている。これにより、連動装置は、駆動装置に駆動されて、底蓋１２のスライド溝１２１を移動する。
【００２５】
図１から図３及び図５から図１４を参照する。スライド装置は、上蓋１１の下端にある取付部１１３に取り付けられている。スライド装置は、スライドディスク４１と、シートトレイ４２と、滑り止めパッド４３と、を備える。スライドディスク４１には、上蓋１１のレール１１４に対応する摺動溝４１１が設けられている。摺動溝４１１は、シートトレイ４２と滑り止めパッド４３とを受ける。シートトレイ４２に結合穴４２１が設けられている。結合穴４２１に連動装置の連動ロッド３２３が組み付けられている。これにより、スライド装置は、駆動装置と連動装置とに駆動されて変位する。滑り止めパッド４３はシートトレイ４２を閉鎖可能である。スライドディスク４１とシートトレイ４２との間に玉４４が若干設けられている。シートトレイ４２に玉収容凹み４２２が若干設けられている。玉収容凹み４２２に玉４４が取り付けられている。玉４４により、滑り止めパッド４３からの負荷が分散される。
【００２６】
次に、本考案の使用方式及び効果を説明する。
【００２７】
図７及び図８を参照する。駆動装置を起動すると、駆動装置のモータ２１がギアユニット２２を駆動して、その両側にある偏心ディスク３１が駆動されて、伝動ロッド３１１が回転しながら上方に着く。このとき、図８に示すように、連動装置のリンクアーム３２が偏心ディスク３１に駆動されて最も上方の位置に着く。連動装置が最も上方の位置に位置するときに、連動装置の連動ロッド３２３はスライドディスク４１の内部で上方へ移動する。摺動溝４１１と本体のレール１１４とは、出力位置を矯正可能なため、スライド装置全体が上方へ移動する。
【００２８】
図９及び図１０を参照する。駆動装置を起動すると、駆動装置のモータ２１がギアユニット２２を駆動して、その両側にある偏心ディスク３１が駆動されて、伝動ロッド３１１が回転しながら下方の位置に着く。このとき、図１０に示すように、連動装置のリンクアーム３２が偏心ディスク３１に駆動されて最も下方の位置に着く。連動装置が最も下方の位置に位置するときに、連動装置の連動ロッド３２３はスライドディスク４１の内部で下方へ移動する。摺動溝４１１と本体のレール１１４は出力位置を矯正可能なため、スライド装置全体が下方へ移動する。持続に使用すると、連動装置の偏心ホイールが回転し続ける。これにより、スライド装置は往復に上下変位するようになる。
【００２９】
実際に利用する場合には、本考案に係る健康器具は、ユーザが座り、又は横たわりの姿勢で利用可能である。ユーザが横たわりの姿勢で利用する場合には、スライド装置により、人体の腰部、背部及び尻が移動されるため、鍛錬及び按摩などの運動効果を得ることが可能であり、代謝を促進可能であり、健康を向上可能である。本体の上蓋１１の支持部１１１はユーザの背部を上げ可能である。スライド装置は、腰部と尻とを揺動し、人体を移動することはない。ユーザが座りの姿勢で利用する場合には、スライド装置は人体の尻及び太ももを上下に揺動することにより、ユーザは運動効果を十分に得ることが可能である。
【００３０】
図２及び図１１から図１４を参照する。本考案に係る健康器具は、更に、左右に揺動する機能を有する。このような健康器具は、連動装置の内部の一側にアイドル偏心ディスク３１ａが設けられている。ギアユニット２２に止めブロック（図示せず）が設けられている。ギアユニット２２を逆方向に回転するときに、止めブロックが一側にあるギアユニット２２を止めて、アイドル偏心ディスク３１ａの一側にある連動装置が一回のアイドリングを発生するため、連動装置が異なる動作を発生して、スライド装置が左右に揺動するようになる。アイドル偏心ディスク３１ａはピン３１１ａを有する。ピン３１１ａの位置は伝動ロッド３１１の位置に対応するため、ピン３１１ａを離れると、偏心ディスク３１がアイドリングする。
【００３１】
図１１及び図１２を参照する。駆動装置を起動すると、伝動ロッド３１１が回転しながら上方の位置に着き、なお、他側にアイドル偏心ディスク３１ａが設けられているため、モータ２１が出力するときに、止めブロックにより止めブロックが設けられているギアユニット２２の回転が止められると同時に、ピン３１１ａが離れて、アイドル偏心ディスク３１ａが一回のアイドリングを発生する。次に、図１２に示すように、ピン３１１ａをアイドル偏心ディスク３１ａに差し込むと、連動装置のリンクアーム３２が偏心ディスク３１に駆動されて最も上方の位置に着き、なお、他側にあるリンクアーム３２が駆動されて最も下方の位置に着く。連動装置が位置の段差を発生するため、もう一度回転するときに、連動装置のリンクアーム３２が連動ロッド３２３を駆動して、スライドディスク４１の内部で左上方から右下方へ繰り返して移動する。なお、摺動溝４１１と本体のレール１１４とは出力位置を矯正可能なため、スライド装置全体は左上方から右下方へ繰り返して揺動するようになる。図１３及び図１４は、上記の方式を持続することにより、連動装置が回転するようになり、スライド装置が左下方から右上方へ繰り返して揺動するようになる。本考案に係る健康器具によれば、左右に揺動する効果を得ることが可能である。特に、干渉を回避するために、本考案に係る健康器具は、上下に移動するときに、左右に揺動することはせず、逆も同じである。
【００３２】
また、本考案に係る滑り止めパッド４３に若干の滑り止め皺、又は若干の滑り止め粒が設けられているため、本考案に係る健康器具を利用するときに、当該健康器具から落ちることはない。滑り止め粒が設けられている場合には、粒によりユーザの身体の部位を按摩可能であり、按摩効果を得ることが可能である。
【００３３】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３４】
１１  上蓋
１２  底蓋
２１  モータ
２２  ギアユニット
２３  モータボックス
３１  偏心ディスク
３１ａ  アイドル偏心ディスク
３２  リンクアーム
４１  スライドディスク
４２  シートトレイ
４３  滑り止めパッド
４４  玉
１１１  支持部
１１２  収容空間
１１３  取付部
１１４  レール
１２１  スライド溝
２１１  出力軸
２２１  第１ギア
２２２  第２ギア
２２３  シャフト
３１１  伝動ロッド
３１１ａ  ピン
３２１  上連結穴
３２２  下連結穴
３２３  連動ロッド
４１１  摺動溝
４２１  結合穴
４２２  玉収容凹み
【図１】
0003213959.tif 000003
【図２】
0003213959.tif 000004
【図３】
0003213959.tif 000005
【図４】
0003213959.tif 000006
【図５】
0003213959.tif 000007
【図６】
0003213959.tif 000008
【図７】
0003213959.tif 000009
【図８】
0003213959.tif 000010
【図９】
0003213959.tif 000011
【図１０】
0003213959.tif 000012
【図１１】
0003213959.tif 000013
【図１２】
0003213959.tif 000014
【図１３】
0003213959.tif 000015
【図１４】
0003213959.tif 000016
【手続補正書】
【提出日】平成29年10月3日(2017.10.3)
【手続補正１】
【補正対象書類名】実用新案登録請求の範囲
【補正対象項目名】全文
【補正方法】変更
【補正の内容】
【実用新案登録請求の範囲】
【請求項１】
本体と、駆動装置と、左右に対称するように設けられている一セットの連動装置と、スライド装置と、を備え、
前記本体は、上蓋と、底蓋と、を有し、前記上蓋の上端に支持部が設けられており、前記支持部は中空を呈する構造であり、前記支持部の内部に収容空間が形成され、前記収容空間は前記駆動装置と前記連動装置とを収容し、前記上蓋の下端に取付部が設けられており、前記取付部にレールが若干設けられており、前記底蓋は前記上蓋を閉鎖可能であり、前記底蓋に、左右に対称するように設けられている一セットのスライド溝が設けられており、
前記駆動装置は、前記本体の前記収容空間に設けられており、前記連動装置に動力を出力し、
前記連動装置は、前記底蓋の前記スライド溝に取り付けられており、前記連動装置は、偏心ディスクと、伝動するためのリンクアームと、を有し、前記リンクアームは連動ロッドを有し、前記連動装置は、前記駆動装置に駆動されて、前記底蓋内の前記スライド溝を移動し、
前記スライド装置は、前記上蓋の下端にある前記取付部に取り付けられており、前記スライド装置は、スライドディスクと、シートトレイと、滑り止めパッドと、を備え、前記スライドディスクには、前記上蓋の前記レールに対応する摺動溝が設けられており、前記摺動溝は、前記シートトレイと前記滑り止めパッドとを受け、前記シートトレイに結合穴が若干設けられており、前記結合穴に前記連動装置の前記連動ロッドを組み付けられており、前記スライド装置は、前記駆動装置と前記連動装置とに駆動されて変位可能であり、前記滑り止めパッドは、前記シートトレイを封止し、人体を駆動して変位させ、
前記駆動装置を起動すると、前記連動装置の両側にある偏心ディスクにより、前記スライド装置が駆動されて上下に移動することを特徴とする健康器具。
【請求項２】
前記駆動装置は、モータと、左右に対称するように設けられている一セットのギアユニットとから構成され、前記モータには、左右に対称する出力軸が設けられており、前記ギアユニットは、第１ギアと、第２ギアと、を有し、前記第１ギアは、前記出力軸と連接し、出力方向を転換し、前記第２ギアは前記第１ギアと連接し、前記第２ギアにシャフトが設けられていることを特徴とする、請求項１に記載の健康器具。
【請求項３】
前記連動装置は、偏心ディスクと、伝動するためのリンクアームとから構成され、前記偏心ディスクの中央に軸穴が設けられており、前記軸穴は前記第２ギアの前記シャフトと連接し、前記偏心ディスクの下端に伝動ロッドが設けられており、前記リンクアームは、ほぼストリップ状を呈し、その上端に上連結穴が設けられており、その下端に下連結穴が設けられており、前記上連結穴は偏心ディスクの伝動ロッドと連接し、前記下連結穴に連動ロッドが組み付けられていることを特徴とする、請求項２に記載の健康器具。
【請求項４】
前記スライドディスクと前記シートトレイとの間に玉が若干設けられており、前記シートトレイに玉収容凹みが若干設けられており、前記玉収容凹みに前記玉が取り付けられていることを特徴とする、請求項１に記載の健康器具。
【請求項５】
前記連動装置内の一側にアイドル偏心ディスクが設けられており、前記ギアユニットに止めブロックが設けられており、前記ギアユニットを逆方向に回転するときに、前記止めブロックは一側にあるギアユニットを止めて、前記アイドル偏心ディスクの一側にある連動装置が一回のアイドリングを発生して、前記連動装置が異なる動作をして、前記スライド装置は左右に揺動することを特徴とする、請求項２に記載の健康器具。
【請求項６】
前記アイドル偏心ディスクはピンを有し、前記ピンの位置は伝動ロッドの位置に対応するため、前記ピンを離れると、偏心ディスクはアイドリングを発生することを特徴とする、請求項５に記載の健康器具。
【請求項７】
前記滑り止めパッドに滑り止め皺が若干設けられていることを特徴とする、請求項１に記載の健康器具。
【請求項８】
前記滑り止めパッドに滑り止め粒が設けられていることを特徴とする、請求項１に記載の健康器具。
【請求項９】
前記駆動装置はモータボックスを有し、前記モータボックスにより、前記モータと前記ギアユニットとが遮蔽されることを特徴とする、請求項２に記載の健康器具。